(57)【要約】  骨移植片材料を収集するための装置は、延在し、内部にフィルタ受容空間を画定するキャニスタであって、真空源に接続するための接続部を含み、このキャニスタの近位端は、第１の係止機構を含む、キャニスタと、キャニスタのフィルタ受容空間内に受容されるような寸法および形状に作られたフィルタ要素であって、フィルタ要素は、内部を延在するチャネルを含み、チャネルは、メッシュ材料を介して画定され、フィルタ要素の近位端は、フィルタ要素の、その長手方向軸を中心とした、キャニスタに対する回転を介して、キャニスタの第１の係止機構と解放可能に係合可能な第２の係止機構を含む、フィルタ要素と、その内部に移植片材料受容空間を画定し、抽出器と解放可能に係合可能である、抽出器と、を備える。
2021514225.tif 000002
【特許請求の範囲】
【請求項１】
骨移植片材料を収集するための装置であって、
近位端から遠位端まで長手方向に延在し、内部にフィルタ受容空間を画定するキャニスタであって、真空源に接続するための接続部を含み、前記キャニスタの前記近位端が第１の係止機構を含む、キャニスタと、
前記キャニスタの前記フィルタ受容空間内に受容されるような寸法および形状に作られたフィルタ要素であって、近位端から遠位端まで長手方向に延在し、内部を延在するチャネルを含み、前記チャネルは、メッシュ材料を介して画定され、前記フィルタ要素の前記近位端が、前記フィルタ要素の、その長手方向軸を中心とした、前記キャニスタに対する回転を介して、前記キャニスタの前記第１の係止機構と解放可能に係合可能な第２の係止機構を含む、フィルタ要素と、
前記フィルタ要素の前記チャネル内に受容される寸法および形状の抽出器であって、その内部に移植片材料受容空間を画定し、前記抽出器と解放可能に係合可能である、抽出器と、を備える、装置。
【請求項２】
前記第１の係止機構が、前記キャニスタの前記フィルタ受容空間内に半径方向に延在する平面突出部を含む、請求項１に記載の装置。
【請求項３】
前記第２の係止機構が、前記フィルタ要素の前記近位端から半径方向外側に延在するリップを含み、前記リップが、前記リップ内に半径方向に延在する溝を含み、前記溝は、前記第１の係止機構の前記平面突出部に対応するような寸法および形状であるので、前記フィルタ要素が前記フィルタ受容空間に挿入され、前記溝および突出部が互いに整列されると、前記リップは、前記フィルタ要素がその長手方向軸を中心として前記キャニスタに対して第１の方向に回転すると、前記突出部が前記リップの近位面と係合するように、前記突出部を越えて遠位方向に移動可能である、請求項２に記載の装置。
【請求項４】
前記フィルタ要素が、前記リップの近位に切り欠き部を含む第３の係止機構を含み、前記切り欠き部が第１のフックおよび第２のフックを画定する、請求項１に記載の装置。
【請求項５】
前記抽出器が、前記フィルタ要素の前記第３の係止機構と解放可能に係合するための第４の係止機構を含み、前記第４の係止機構は、前記抽出器の近位端から半径方向外側に延在する戻り止めを含み、前記戻り止めは、前記抽出器の、その長手方向軸を中心とした、前記フィルタに対する第１の方向への回転により、前記戻り止めが前記第１のフックに係合し、前記抽出器の、前記長手方向軸を中心とした、前記フィルタ要素に対する第２の方向への回転により、前記戻り止めが前記第２のフックに係合するように、前記切り欠き部内に遠位方向に受容されるような寸法および形状とされている、請求項４に記載の装置。
【請求項６】
前記フィルタ要素は、前記フィルタ要素が前記キャニスタの前記フィルタ受容空間内に受容されると、前記キャニスタの内面と前記フィルタ要素の外面との間に空間が画定されるような寸法および形状とされている、請求項１に記載の装置。
【請求項７】
前記リップは、前記第１の方向への前記フィルタ要素の回転中に、前記突出部が前記溝と再整列することを防止するために、前記溝に近接して前記リップの前記近位面から延在する停止部を含む、請求項３に記載の装置。
【請求項８】
前記戻り止めの近位に、前記抽出器が、そこから延在する指グリップを含む、請求項５に記載の装置。
【請求項９】
前記フィルタ要素は、前記抽出器の遠位端が前記フィルタ要素の前記遠位端から近位方向に距離を置くように、前記フィルタ要素の前記チャネル内に受容されるように構成されている、請求項１に記載の装置。
【発明の詳細な説明】
【背景技術】
【０００１】
リーマ灌注吸引器（ＲＩＡ）システムを使用して、例えば、大腿骨などの骨にリーミングを行い、髄管から材料を取り出す。髄管からの材料を取り出して、髄内インプラントのために骨の準備を整える、および／または骨移植治療用に骨材料を収集することができる。ＲＩＡシステムは、骨をリーミングすると同時に、髄管の灌注および吸引を提供する。灌注は、リーマ装置により発生する熱を低減し、リーマミングされた骨材料を乳化する。吸引は、ＲＩＡシステムによって加えられた負圧によって、乳化された骨材料を髄管から取り出す。移植片フィルタアセンブリは、骨材料を収集し、乳化された骨材料から流体を取り出す。
【発明の概要】
【課題を解決するための手段】
【０００２】
本実施形態は、骨移植片材料を収集するための装置であって、近位端から遠位端まで長手方向に延在し、内部にフィルタ受容空間を画定するキャニスタであって、真空源に接続するための接続部を含み、このキャニスタの近位端が第１の係止機構を含む、キャニスタと、キャニスタのフィルタ受容空間内に受容されるような寸法および形状に作られたフィルタ要素であって、近位端から遠位端まで長手方向に延在し、内部を延在するチャネルを含み、チャネルは、メッシュ材料を介して画定され、フィルタ要素の近位端が、フィルタ要素の、その長手方向軸を中心とした、キャニスタに対する回転を介して、キャニスタの第１の係止機構と解放可能に係合可能な第２の係止機構を含む、フィルタ要素とを、フィルタ要素のチャネル内に受容される寸法および形状の抽出器であって、その内部に移植片材料受容空間を画定し、抽出器と解放可能に係合可能である、抽出器と、組み合わせて備える、装置を対象とする。
【図面の簡単な説明】
【０００３】
【図１】本開示の例示的な実施形態による移植片フィルタアセンブリの斜視図である。
【図２】図１の移植片フィルタアセンブリによるキャニスタの長手方向断面図である。
【図３】図１の移植片フィルタアセンブリによるフィルタ要素および抽出器の斜視図である。
【図４】図１によるフィルタ要素の斜視図である。
【図５】図１による抽出器の斜視図である。
【発明を実施するための形態】
【０００４】
本開示は、以下の説明および添付の図面を参照してさらに理解することができるが、添付の図面において、類似の構成要素は同じ参照番号で指し示されている。本実施形態は、骨の治療に関し、具体的には、骨の髄管から骨材料を取り出すための骨の髄内リーミングに関する。髄管からの材料は、骨移植のために収集され得る。例示的な実施形態は、リーマ装置に連結されて、材料が吸引を介して髄管から取り出されている際にリーミングされた骨材料を収集し得る、移植片フィルタアセンブリについて説明する。例示的な移植片フィルタアセンブリは、フィルタおよび抽出器を受容するキャニスタを備える。これらの構成要素であるキャニスタ、フィルタおよび抽出器のそれぞれは、これらの不注意な分解を防止するために互いに連結されてもよい。本明細書で使用されるとき、「近位」および「遠位」という用語は、装置のユーザに向かう（近位）、およびユーザから遠ざかる（遠位）方向を指すことを意図することに留意されたい。
【０００５】
図１〜図５に示すように、本開示の例示的な実施形態による移植片フィルタアセンブリ１００は、キャニスタ１０２と、フィルタ要素１０４と、抽出器１０６とを備え、これらは、不注意な分解を防止するために互いに解放可能に連結する。抽出器１０６は、キャニスタ１０２内に受容されるような寸法および形状であるフィルタ１０４内に受容されるような寸法および形状である。キャニスタ１０２は、フィルタ要素１０４および抽出器１０６を収容し、例えば、長骨の髄管から材料をリーミングして取り出すリーマ装置の吸引ポート、および吸引力を提供する吸引ホースに連結されるように構成されている。リーマ装置は、髄管がリーミングされている間に、潅注および吸引の両方を提供することができる。髄管の吸引中、リーミングされた骨材料は、灌注中に提供された流体と共に、移植片フィルタアセンブリ１００が接続される吸引ポートを通して吸引されるので、リーミングされた骨材料は、抽出器１０６の移植片収集空間１０８内に収集される。移植片材料が収集空間１０８内に受容されると、流体は、フィルタ１０４のメッシュ材料を通して収集空間１０８から濾過され、吸引ホースを介して取り出される。したがって、リーミングおよび収集プロセスの完了時に取り出すために、所望の移植片材料のみが抽出器１０６内に残る。
【０００６】
図１〜図３に示すように、キャニスタ１０２は、近位端１１０から遠位端１１２まで長手方向に延在し、内部を通って長手方向に延在するチャネル１１４を含む。本実施形態によるキャニスタ１０２は、図２および図４に示すように、近位端１１０が、キャニスタ１０２の近位端１１０に解放可能に連結されるように構成されている蓋１８０を介してリーマ装置に接続され得るように、開放近位端１１０を含む。蓋１８０は、任意の様々な方法で近位端１１０に連結されることができる。一実施例では、キャニスタ１０２の第１の端部１１０は、その外面１１８に沿って、蓋１８０の対応するねじ山１８４と係合するためのねじ山１２０を含む。当業者には理解されるように、蓋１８０のコネクタ１８２を通してキャニスタ１０２のチャネル１１４内に移植片材料を引き込むことができるように、蓋１８０は、例えば、リーマ装置の吸引ポートに接続するためのコネクタ１８２を含んでもよい。蓋１８０は、蓋１８０がキャニスタ１０２に接続され、移植片アセンブリ１００を通して吸引力が加わると、キャニスタ１０２内に収納された抽出器１０６の収集空間１０８内に移植片材料が引き込まれるように、特別の寸法および形状とされてもよい。例えば、蓋１８０の内部は、蓋１８０がキャニスタ１０２に連結されると、抽出器１０６の近位端１６２に係合して、吸引された移植片材料を抽出器１０６の収集空間１０８内に方向付ける構造体１８６を含んでもよい。
【０００７】
本実施形態によるキャニスタ１０２の第１の端部１１０はまた、チャネル１１４の内面１２４からチャネル１１４内に半径方向に延出する平面突出部として構成されたフィルタ要素リテーナ１２２を含む。以下でさらに詳細に説明するように、フィルタ要素リテーナ１２２は、フィルタ要素リテーナ１２２がフィルタ要素１０４と係合するとフィルタ要素１０４がそこから不注意に外れるのを防止するように、フィルタ要素１０４の近位端１３２と係合するように構成されている。
【０００８】
本実施形態によるキャニスタ１０２の第２の端部１１２は、吸引ホースに接続するためのコネクタ１１６を含む。コネクタ１１６は、例えば、吸引ホースに接続するためのバーブコネクタを含んでもよい。コネクタ１１６は、チャネル１１４から吸引された材料の全てがコネクタ１１６を通り、コネクタ１１６に接続された吸引ホースに入るように、チャネル１１４の開口部を遠位端１１２において狭める。換言すれば、コネクタ１１６を通って延在する、本実施形態のチャネル１１４の一部分の断面積は、チャネル１１４の残りの部分の断面積よりも小さい。したがって、キャニスタ１０２は、コネクタ１１６をキャニスタ１０２の残りの部分に接続する肩部１２６を含むように成形される。
【０００９】
キャニスタ１０２は、肩部１２６の内面１２４に沿ってフィルタ要素傾斜面１２８をさらに含む。フィルタ要素傾斜面１２８は、以下でさらに詳細に説明するように、フィルタ要素１０４の遠位端１３４と係合するように、肩部１２６の内面１２４から離れて近位端１１０に向かって延在する傾斜面１３０を含む。本実施形態のフィルタ要素傾斜面１２６は、フィルタ要素リテーナ１２２と同じ側の肩部１２６の一部分に沿って延在する。換言すれば、本実施形態のフィルタ要素傾斜面１２６およびフィルタ要素リテーナ１２２は、キャニスタ１０２の中心軸を通って長手方向に延在する平面に沿って実質的に整列している。フィルタ要素傾斜面１２８は傾斜面１３０を含むものとして説明され、示されているが、フィルタ要素傾斜面１２８は、フィルタ要素１０４がフィルタ要素リテーナ１２２と係合するときにフィルタ要素１０４に圧縮力を提供する突出部または任意の他の突起部として構成されてもよい。フィルタ要素１０４とキャニスタ１０２とが互いに係合するとき、この圧縮力は、フィルタ要素１０４がキャニスタ１０２から不注意に係合解除されることを防止することが、当業者には理解されるであろう。
【００１０】
図２に示すように、フィルタ要素１０４は、フレーム本体１３８によって所望の形状に形作られかつ保持されたメッシュ材料１４０を含む。フレーム本体１３８は、近位端１３２から遠位端１３４まで長手方向に延在しており、フレーム本体１３８を通って延在するチャネル１３６を含む。フレーム本体１３８は、チャネル１１４内に受容されるような寸法および形状とされる。一実施形態では、フレーム本体１３８は、近位端１３２にある第１のリング１４２と、遠位端１３４にある第２のリング１４４とによって画定されてもよく、第１および第２のリング１４２、１４４は、複数の長手方向支柱１４６によって互いに接続されている。本実施形態のメッシュ材料１４０は、メッシュ材料１４０が複数の長手方向支柱１４６のうちの隣接する支柱１４６同士の間に延在して実質的に円筒形状を画定するように、フィルタ要素１０４のチャネル１３６の内周に沿って延在する。メッシュ材料１４０は、フレーム本体１３８がキャニスタ１０２のチャネル１１４内に受容されると、メッシュ材料１４０とチャネル１１４の内面１２４との間に空間が形成されるように、長手方向支柱１４６の内側に沿って延在している。したがって、メッシュ材料１４０と内面１２４との間の空間内への流体の吸引を介して、メッシュ材料内に収集された移植片材料から流体を濾過することができる。
【００１１】
フレーム本体１３８の近位端１３２の開口部は、抽出器１０６がその中に摺動可能に受容されることができるような寸法および形状であってもよい。遠位端１３４の開口部は、抽出器１０６がチャネル１３６内に受容されたときに、抽出器１０６がフィルタ要素１０４の遠位端１３４を越えて遠位方向に移動することが防止されるように、近位端１３２の開口部よりも小さい。フィルタ要素１０４は、フィルタ要素１０４がキャニスタ１０２のチャネル１１４内に受容されたときに、遠位端１３４がキャニスタ１０２の遠位端１１２から分離されて、移植片材料から濾過された流体がコネクタ１１６の開口部１５０を通って、例えば、コネクタ１１６に接続された吸引ホース内へと流れることができるようになるように、遠位端１３４から遠位方向に延在する複数の脚部１４８をさらに含む。
【００１２】
図５に示すように、本実施形態によるフレーム本体１３８は、キャニスタ１０２の第１の端部１１０と係合するように構成されたリップ１５２を、第１の端部１３２に含む。一実施形態では、リップ１５２は、第１の端部１３２から半径方向外側に延在し、リップ１５２の半径方向最外縁部からリップ１５２内へと半径方向に延在する溝１５４を含む。溝１５４は、キャニスタ１０２の突出部１２２を通過させることができるような寸法および形状となっている。したがって、突出部１２２および溝１５４が整列されると、リップ１５２は、突出部１２２を越えて遠位に移動することができ、これにより、回転されると、突出部１２２は、リップ１５２の、溝１５４を含まない部分に沿って、リップ１５２の近位面１５６に係合する。
【００１３】
溝１５４に近接して、リップ１５２の近位面１５６に沿って、フィルタ要素１０４は、そこから突出する停止部１５７を含んでもよい。停止部１５７は、フィルタ要素１０４がキャニスタに対して継続的に回転したときに、キャニスタ１０２の突出部１２２が溝１５４に整列するのを防ぐ。一実施形態では、停止部１５７は、リップ１５２が突出部１２２に対して遠位方向に移動することができるようになり、フィルタ要素１０４がキャニスタ１０２に対して時計回りに回転すると、突出部が停止部１５７と係合するまで突出部１２２が近位面１５６に沿って摺動するように、溝１５４に対して時計回りの位置で、溝１５４に近接している。停止部１５７は、フィルタ要素１０４がキャニスタ１０２に対して時計回りにさらに回転するのを防止し、これにより、フィルタ要素１０４は完全に３６０度回転することができず、フィルタ要素１０４はキャニスタ１０２から不注意に係合解除されないようになっている。換言すれば、停止部１５７は、フィルタ要素１０４の時計回りの回転を介して溝１５４が回転して突出部１２２と整列するのを防ぐ。したがって、フィルタ要素１０４をキャニスタ１０２から係合解除することが望ましい場合、フィルタ要素１０４は、溝１５４が突出部１２２と整列するまで、キャニスタ１０２に対して反時計回りに回転され得る。停止部１５７は、溝１５４から時計回りに分離されたリップ１５２の部分から延在するように示され、説明されているが、当業者であれば、フィルタ要素１０４をキャニスタ１０２に対して係止するために、フィルタ要素１０４をキャニスタ１０２に対して反時計回りに回転させることが求められるように、停止部１５７を、リップ１５２に沿って溝１５４から反時計回りに同様に位置決めしてもよいことは理解されるであろう。上述したように、フィルタ要素１０４がキャニスタ１０２と係合されるか、またはキャニスタ１０２に対して係止されると、フィルタ要素１０４は、突出部１２２とフィルタ要素傾斜面１２６との間で圧縮されるので、フィルタ要素１０４がキャニスタ１０２に対して自由に回転してキャニスタ１０２から不注意に係合解除されることはない。むしろ、キャニスタ１０２およびフィルタ要素１０４のうちの一方に力を加えてそれらの間の相互回転を引き起こし、これらの要素を互いから係合解除させる必要がある。
【００１４】
フレーム本体１３８の第１の端部１３２はまた、一対のフック（すなわち、第１のフック１５８および第２のフック１６０）を画定する切り欠き部１６６を含む。以下でさらに詳細に説明するように、本実施形態の切り欠き部１６６は、第１のリング１４２を通って延在し、抽出器１０６の一部が切り欠き部１６６内に受容され、かつフィルタ要素１０４に対する抽出器１０６の回転方向に応じて、第１および第２のフック１５８、１６０のうちの１つと選択的に係合することができる寸法および形状である。一実施形態では、フレーム本体１３８は、互いに直径方向に対向する一対の切り欠き部１５６を含み、それぞれが第１および第２のフック１５８、１６０を画定する。
【００１５】
抽出器１０６は、図２および図５に示されているように、移植片材料がそこを通って収集される近位端１６２から閉鎖遠位端１６４まで長手方向に延在して、内部に骨移植片収集空間１０８を画定する本体１６８を含む。抽出器１０６は、フィルタ要素１０４のチャネル１３６内に受容されるような寸法および形状である。抽出器１０６の本体１６８は、移植片収集プロセスの完了時に、抽出器１０６をフィルタ要素１０４から取り出すことができ、収集された移植片材料が収集空間１０８から容易に取り出され得るような構造とされる。例えば、一実施形態では、本体１６８は、近位端１６２と遠位端１６４との間に延在する少なくとも２つの長手方向支柱１７０によって画定されてもよい。一実施形態では、長手方向支柱１７０の近位端１７２は、接続リング１７４を介して互いに接続されてもよい。抽出器１０６の本体１６８は、具体的には、収集空間１０８の周囲に延在するフィルタ要素１０４のメッシュ材料１４０を介して収集空間１０８内に収集された移植片材料から流体が吸引され得るような構造とされる。加えて、フィルタ要素１０４から抽出器１０６を取り出すと、収集された移植片材料は、２つの隣接する支柱１７４の間を介して抽出器１０６の外部から容易にアクセス可能である。
【００１６】
本実施形態の抽出器１０６の接続リング１７４は、互いに直径方向に対向し、かつ装置のユーザによって容易に把持可能な一対の指グリップ１７６を含む。接続リング１７４はまた、接続リング１７４から半径方向外側に延在する戻り止め１７８を、指グリップ１７６の遠位側に含んでもよい。戻り止め１７８は、抽出器１０６がフィルタ要素１０４のチャネル１３６内に挿入されると、遠位方向に移動して切り欠き部１６６に入るような寸法および形状である。切り欠き部１６６内に受容されると、抽出器１０６は、その中心軸を中心として時計回りおよび反時計回りのうちの一方に回転されて、所望に応じて第１および第２のフック１５８、１６０のうちの１つと係合することができる。例えば、抽出器１０６が時計回りに回転すると、戻り止め１７８は第１のフック１５８と係合し、抽出器１０６が反時計回りに回転すると、戻り止め１７８は第２のフック１６０と係合する。戻り止め１７８がフィルタ要素１０４のフック１５８、１６０のうちの１つと係合されると、抽出器１０６はフィルタ要素１０４に対して係止される。例えば、収集された移植片材料を取り出すために抽出器１０６をフィルタ要素１０４から係合解除することが望ましい場合、ユーザは、戻り止め１７８が切り欠き部１６６から出て近位方向に移動できるように、戻り止め１７８が第１のフック１５８または第２のフック１６０のいずれかに係合しなくなるまで抽出器１０６を回転させる。一実施形態では、抽出器１０６は、一対の戻り止め１７８を含む。本実施形態の戻り止め１７８は、互いに直径方向に対向して位置しており、かつ、例えば、各戻り止め１７８がフィルタ要素１０４の切り欠き部１５６の対応する１つと係合するように位置付けられている。
【００１７】
使用前に、移植片フィルタアセンブリ１００は、組み立てられた移植片フィルタアセンブリ１００が、例えば、リーマ装置に接続されて、移植片材料を移植片フィルタアセンブリ１００の中に収集できるように組み立てられる。上述したように、移植片フィルタアセンブリ１００は、フィルタ要素１０４のリップ１５２に沿った溝１５４がキャニスタ１０２の突出部１２２と整列するように、フィルタ要素１０４をキャニスタ１０２のチャネル１１４内に挿入することによって組み立てられてもよい。抽出器１０６は、抽出器１０６の戻り止め１７８がフィルタ要素１０４の対応する切り欠き部１６６と整列されるように、フィルタ要素１０４のチャネル１３６内に挿入される。指グリップ１７６を使用して、ユーザは、次に、抽出器１０６をフィルタ要素１０４に対して遠位方向に移動させ、戻り止め１７８が切り欠き部１６６の第１のフック１５８と係合するように、抽出器１０６を第１の（例えば、時計回りの）方向に回転させる。戻り止め１７８が第１のフック１５８に係合すると、第１の方向への抽出器１０６の継続的な回転が、フィルタ要素１０４もキャニスタ１０２に対して第１の方向に回転させて、キャニスタ１０２の突出部１２２がフィルタ要素１０４のリップ１５２の近位面１５６と係合する。したがって、全ての３つの構成要素、すなわち、キャニスタ１０２、フィルタ要素１０４および抽出器１０６は、互いに対して係止され、アセンブリ１００が組み立てられた構成となる。移植片フィルタアセンブリ１００が組み立てられると、蓋は、例えば、ねじ山１２０を介してキャニスタ１０２の近位端１１０に連結される。次いで、移植片フィルタアセンブリ１００は、蓋を介してリーマ装置に、そして、コネクタ１１６を介して吸引ホースに連結されてもよい。上記のように、蓋は、移植片材料を抽出器１０６の収集空間１０８内に方向付けるための特徴部を含む。
【００１８】
使用中、リーミングされたおよび／または灌注された骨材料が、リーマ装置が移植片フィルタアセンブリ１００内に引き込んだ骨材料から吸引されるように、真空力が吸引ホースを介して加えられる。具体的には、骨材料は、抽出器１０６の収集空間１０８内に方向付けられ、流体は、収集空間１０８からフィルタ要素１０４のメッシュ材料１４０の孔を通して、メッシュ材料１４０とキャニスタ１０２のチャネル１１４の内面１２４との間の空間内に吸引される。流体は、吸引ホースを介してキャニスタ１０２の外へと吸引される。
【００１９】
リーミング／収集プロセスが完了すると、収集された移植片材料は、移植片フィルタアセンブリ１００から取り出されることができる。一実施例によると、抽出器１０６は、戻り止め１７８が第１のフック１５８を係合解除し、第２のフック１６０と係合するように、第２の（例えば、反時計回りの）方向に回転されてもよい。戻り止め１７８が第２のフック１６０と係合されると、抽出器１０６の第２の方向への継続的な回転が、フィルタ要素１０４も第２の方向に回転させる。したがって、フィルタ要素１０４の溝１５４がキャニスタ１０２の突出部１２２と整列するまで、抽出器１０６およびフィルタ要素１０４を第２の方向に回転させることができる。抽出器１０６およびフィルタ要素１０４はその後、キャニスタ１０２に対して近位方向に引かれて、依然として係合されている抽出器１０６およびフィルタ要素１０４をキャニスタ１０２から取り外すことができる。抽出器１０６およびフィルタ要素１０４がキャニスタ１０２から取り外されると、戻り止め１７８が第２のフック１６０から係合解除され、抽出器１０６をフィルタ要素１０４から近位方向に引き出すことによって戻り止め１７８を切り欠き部１６６から近位方向に引き出すことができるまで抽出器１０６を第１の方向にわずかに回転させることによって、抽出器１０６をフィルタ要素１０４から係合解除することができる。これにより、移植片材料は、抽出器１０６の収集空間１０８から取り出されことができる。上述したように、収集空間１０８はその外部に対して実質的に開いているため、移植片材料は収集空間１０８から容易に取り出され得る。
【００２０】
別の実施例によれば、フィルタ要素１０４およびキャニスタ１０２から抽出器１０６のみを係合解除することによって、移植片材料を移植片フィルタアセンブリ１００から取り出すようにしてもよい。本実施形態では、抽出器１０６は、戻り止め１７８が第１のフック１５８から係合解除され、フィルタ要素１０４のチャネル１３６から抽出器１０６を近位方向に引き出すことによって戻り止め１７８を切り欠き部１６６から取り外すことができるようになるまで、第２の方向にわずかに回転されるだけである。これにより、移植材料は、抽出器１０６の収集空間１０８から取り出すことができる。
【００２１】
上述のように、キャニスタ１０２、フィルタ要素１０４および抽出器１０６は、移植片フィルタアセンブリ１００が様々な構成に組み立てられ、分解されることができるように、選択的にかつ独立して互いに係合し、係合解除することができる。したがって、収集された移植片材料は、所望により、フィルタ要素１０４および／またはキャニスタ１０２から抽出器１０６を選択的に係合解除することによって、移植片フィルタアセンブリ１００から取り出すことができることが理解されるであろう。
【００２２】
本発明の趣旨または範囲から逸脱せずに本発明の構造および方法に改変および変更を加えることが可能であることを当業者は理解するであろう。したがって、本発明の改変および変更が、添付の特許請求の範囲およびそれらの均等物の範囲内に含まれるものであれば、本発明はそれらを包含するものとする。
【００２３】
〔実施の態様〕
（１）  骨移植片材料を収集するための装置であって、
近位端から遠位端まで長手方向に延在し、内部にフィルタ受容空間を画定するキャニスタであって、真空源に接続するための接続部を含み、前記キャニスタの前記近位端が第１の係止機構を含む、キャニスタと、
前記キャニスタの前記フィルタ受容空間内に受容されるような寸法および形状に作られたフィルタ要素であって、近位端から遠位端まで長手方向に延在し、内部を延在するチャネルを含み、前記チャネルは、メッシュ材料を介して画定され、前記フィルタ要素の前記近位端が、前記フィルタ要素の、その長手方向軸を中心とした、前記キャニスタに対する回転を介して、前記キャニスタの前記第１の係止機構と解放可能に係合可能な第２の係止機構を含む、フィルタ要素と、
前記フィルタ要素の前記チャネル内に受容される寸法および形状の抽出器であって、その内部に移植片材料受容空間を画定し、前記抽出器と解放可能に係合可能である、抽出器と、を備える、装置。
（２）  前記第１の係止機構が、前記キャニスタの前記フィルタ受容空間内に半径方向に延在する平面突出部を含む、実施態様１に記載の装置。
（３）  前記第２の係止機構が、前記フィルタ要素の前記近位端から半径方向外側に延在するリップを含み、前記リップが、前記リップ内に半径方向に延在する溝を含み、前記溝は、前記第１の係止機構の前記平面突出部に対応するような寸法および形状であるので、前記フィルタ要素が前記フィルタ受容空間に挿入され、前記溝および突出部が互いに整列されると、前記リップは、前記フィルタ要素がその長手方向軸を中心として前記キャニスタに対して第１の方向に回転すると、前記突出部が前記リップの近位面と係合するように、前記突出部を越えて遠位方向に移動可能である、実施態様２に記載の装置。
（４）  前記フィルタ要素が、前記リップの近位に切り欠き部を含む第３の係止機構を含み、前記切り欠き部が第１のフックおよび第２のフックを画定する、実施態様１に記載の装置。
（５）  前記抽出器が、前記フィルタ要素の前記第３の係止機構と解放可能に係合するための第４の係止機構を含み、前記第４の係止機構は、前記抽出器の近位端から半径方向外側に延在する戻り止めを含み、前記戻り止めは、前記抽出器の、その長手方向軸を中心とした、前記フィルタに対する第１の方向への回転により、前記戻り止めが前記第１のフックに係合し、前記抽出器の、前記長手方向軸を中心とした、前記フィルタ要素に対する第２の方向への回転により、前記戻り止めが前記第２のフックに係合するように、前記切り欠き部内に遠位方向に受容されるような寸法および形状とされている、実施態様４に記載の装置。
【００２４】
（６）  前記フィルタ要素は、前記フィルタ要素が前記キャニスタの前記フィルタ受容空間内に受容されると、前記キャニスタの内面と前記フィルタ要素の外面との間に空間が画定されるような寸法および形状とされている、実施態様１に記載の装置。
（７）  前記リップは、前記第１の方向への前記フィルタ要素の回転中に、前記突出部が前記溝と再整列することを防止するために、前記溝に近接して前記リップの前記近位面から延在する停止部を含む、実施態様３に記載の装置。
（８）  前記戻り止めの近位に、前記抽出器が、そこから延在する指グリップを含む、実施態様５に記載の装置。
（９）  前記フィルタ要素は、前記抽出器の遠位端が前記フィルタ要素の前記遠位端から近位方向に距離を置くように、前記フィルタ要素の前記チャネル内に受容されるように構成されている、実施態様１に記載の装置。
（１０）  移植片フィルタアセンブリ内に骨移植片材料を収集するための方法であって、
キャニスタのフィルタ受容空間内にフィルタ要素を挿入することと、前記フィルタ要素のチャネル内に抽出器を挿入することと、前記フィルタ要素および前記抽出器を前記アセンブリの長手方向軸を中心に前記キャニスタに対して回転させることによって、前記キャニスタ、フィルタ要素および前記抽出器を互いに対して係止することとによって前記移植片フィルタアセンブリを組み立てることと、
前記キャニスタの近位端をリーマ装置に、かつ、前記キャニスタの遠位端を吸引ホースに、接続することと、
前記リーマ装置を使用して骨の髄管をリーミングし、そこに灌注流体を提供することと、
前記吸引ホースを介して前記移植片フィルタアセンブリを通して真空力を加えて、リーミングされた移植片材料を前記抽出器の移植片材料収集空間内に吸引し、前記フィルタ要素のメッシュ材料の孔を介して、前記移植片材料収集空間内に収集された前記リーミングされた移植片材料からの流体を濾過して、所望の移植片材料のみが前記抽出器内に残るようにすることと、を含む、方法。
【００２５】
（１１）  前記フィルタ要素を介して前記リーミングされた移植片材料から吸引された流体が、前記キャニスタの内部と前記フィルタ要素の外部との間の空間に引き込まれ、前記吸引ホースを介して前記移植片フィルタアセンブリから吸引される、実施態様１０に記載の方法。
（１２）  前記フィルタ要素を前記キャニスタに挿入することが、前記キャニスタの突出部を前記フィルタ要素の溝と整列させることを含み、前記突出部は、前記キャニスタの近位端から前記キャニスタの前記フィルタ受容空間内に半径方向内側に延在し、前記溝は、前記フィルタ要素の近位端から半径方向外側に延在するリップの一部内に半径方向に延在し、前記溝は、前記突出部に対応する寸法および形状である、実施態様１０に記載の方法。
（１３）  前記抽出器を前記フィルタ要素の前記チャネルに挿入することが、前記抽出器の戻り止めを前記フィルタ要素の切り欠き部と整列させることを含み、前記戻り止めが、前記抽出器の近位端から半径方向外側に延在し、前記切り欠き部は、前記フィルタ要素の近位端を通って延在するとともに、第１のフックおよび第２のフックを画定し、前記戻り止めは、前記切り欠き部内に遠位に受容可能であるような寸法および形状である、実施態様１２に記載の方法。
（１４）  前記キャニスタ、フィルタ要素、および抽出器を互いに対して係止することは、前記戻り止めが前記第１のフックと係合するように前記抽出器を前記フィルタ要素に対して第１の方向に回転させることを含み、前記第１の方向への前記抽出器の継続的な回転が前記フィルタ要素を前記キャニスタに対して回転させて、前記キャニスタの前記突出部が前記リップの近位面に係合する、実施態様１３に記載の方法。
（１５）  前記フィルタ要素の前記リップが、その前記近位面から突出する停止部を含み、前記停止部は、前記溝が前記突出部と再整列しないように、前記キャニスタに対する前記フィルタ要素の前記第１の方向への更なる回転を防止する、実施態様１４に記載の方法。
【００２６】
（１６）  前記移植片フィルタアセンブリを分解することによって、前記所望の移植片材料を前記抽出器から取り出すことをさらに含む、実施態様１４に記載の方法。
（１７）  前記移植片フィルタアセンブリを分解することは、前記フィルタ要素に対して前記抽出器を前記第１の方向と反対の第２の方向に回転させることを含み、これにより、前記戻り止めが前記第１のフックを係合解除して前記第２のフックと係合することによって、前記抽出器の前記第２の方向への継続的な回転が前記フィルタ要素を前記キャニスタに対して前記溝が前記突出部と整列するまで回転させる、実施態様１６に記載の方法。
（１８）  前記移植片フィルタアセンブリを分解することは、前記フィルタ要素および抽出器を取り外すことをさらに含む、実施態様１７に記載の方法。
（１９）  前記移植片フィルタアセンブリを分解することは、前記戻り止めが前記第２のフックから係合解除され、前記抽出器が前記フィルタから取り外し可能になるまで、前記抽出器を前記フィルタ要素に対して前記第１の方向に回転させることを含む、実施態様１６に記載の方法。
【図１】
2021514225.tif 000003
【図２】
2021514225.tif 000004
【図３】
2021514225.tif 000005
【図４】
2021514225.tif 000006
【図５】
2021514225.tif 000007
【国際調査報告】
2021514225.tif 000008
2021514225.tif 000009
2021514225.tif 000010